(57)【要約】【課題】装置の稼動状態に応じて最適な動作条件を設定する。【解決手段】ノズルからインクを吐出させて記録媒体に記録を行う記録ヘッドと、記録ヘッドにインクを供給するインク供給手段と、洗浄液を用いて記録ヘッドを洗浄するメンテナンス手段と、インク、記録ヘッド、及び洗浄液のうち少なくとも１つの種類を識別する識別手段と、記録ヘッド及びメンテナンス手段のうち少なくとも一方の稼働情報を取得する稼働情報取得手段と、識別した種類に基づいて、記録ヘッド、インク供給手段、及びメンテナンス手段のうち少なくとも１つの最適な動作条件を取得する動作条件取得手段であって、取得した稼働情報に応じた最適な動作条件を取得する動作条件取得手段と、取得した最適な動作条件を含む動作条件で記録ヘッド、インク供給手段、及びメンテナンス手段を制御する制御手段とを備えた画像記録装置によって上記課題を解決する。【選択図】図２
2014148051.tif 000002
【特許請求の範囲】
【請求項１】
ノズルからインクを吐出させて記録媒体に記録を行う記録ヘッドと、
前記記録ヘッドに前記インクを供給するインク供給手段と、
洗浄液を用いて前記記録ヘッドを洗浄するメンテナンス手段と、
前記インク、前記記録ヘッド、及び前記洗浄液のうち少なくとも１つの種類を識別する識別手段と、
前記記録ヘッド及び前記メンテナンス手段のうち少なくとも一方の稼働情報を取得する稼働情報取得手段と、
前記識別した種類に基づいて、前記記録ヘッド、前記インク供給手段、及び前記メンテナンス手段のうち少なくとも１つの最適な動作条件を取得する動作条件取得手段であって、前記取得した稼働情報に応じた最適な動作条件を取得する動作条件取得手段と、
前記取得した最適な動作条件を含む動作条件で前記記録ヘッド、前記インク供給手段、及び前記メンテナンス手段を制御する制御手段と、
を備えた画像記録装置。
【請求項２】
前記記録ヘッドの稼動情報は、各ノズルの累積吐出回数を含む請求項１に記載の画像記録装置。
【請求項３】
前記メンテナンス手段の稼動情報は、前記記録ヘッドの洗浄回数を含む請求項１又は２に記載の画像記録装置。
【請求項４】
前記記録ヘッドは、前記ノズルからインクを吐出するための駆動素子をノズル毎に備え、
前記記録ヘッドの動作条件は、前記駆動素子の駆動信号を含む請求項１から３のいずれか１項に記載の画像記録装置。
【請求項５】
前記インク供給手段の動作条件は、前記記録ヘッドに前記インクを供給する圧力値を含む請求項１から４のいずれか１項に記載の画像記録装置。
【請求項６】
前記メンテナンス手段の動作条件は、洗浄の頻度及び洗浄液の量の少なくとも一方を含む請求項１から５のいずれか１項に記載の画像記録装置。
【請求項７】
前記インクを貯留するインクタンクであって、前記インクの種類の情報を含むバーコードが備えられたインクタンクを備え、
前記識別手段は、前記バーコードを読み取ることで前記インクの種類を識別する請求項１から６のいずれか１項に記載の画像記録装置。
【請求項８】
前記記録ヘッドは、前記記録ヘッドの種類の情報を記憶したＩＣタグを備え、
前記識別手段は、前記ＩＣタグの情報を読み取ることで前記記録ヘッドの種類を識別する請求項１から７のいずれか１項に記載の画像記録装置。
【請求項９】
前記洗浄液を貯留する洗浄液タンクであって、前記洗浄液の種類の情報を含むバーコードが備えられた洗浄液タンクを備え、
前記識別手段は、前記バーコードを読み取ることで前記洗浄液の種類を識別する請求項１から８のいずれか１項に記載の画像記録装置。
【請求項１０】
前記画像記録装置のハードウェア情報を記憶するハードウェア情報記憶手段を備え、
前記動作条件取得手段は、前記記憶されたハードウェア情報に基づいて、前記記録ヘッド、前記インク供給手段、及び前記メンテナンス手段のうち少なくとも１つの最適な動作条件を取得する請求項１から９のいずれか１項に記載の画像記録装置。
【請求項１１】
前記記録ヘッドは、複数のヘッドモジュールと、前記複数のヘッドモジュールを保持する保持手段から構成され、
前記ハードウェア情報は、前記保持手段の情報を含む請求項１０に記載の画像記録装置。
【請求項１２】
前記ハードウェア情報は、前記インク供給手段の情報を含む請求項１０又は１１に記載の画像記録装置。
【請求項１３】
前記記録ヘッド、前記インク供給手段、及び前記メンテナンス手段のうち少なくとも１つの最適な動作条件を記憶するデータベースと、
前記画像記録装置外部のメンテナンスサーバと通信する通信手段と、
前記メンテナンスサーバから前記記録ヘッド、前記インク供給手段、及び前記メンテナンス手段のうち少なくとも１つの最新の動作条件を取得し、前記データベースを更新する更新手段と、
を備えた請求項１から１２のいずれか１項に記載の画像記録装置。
【請求項１４】
ノズルからインクを吐出させて記録媒体に記録を行う記録ヘッドと、前記記録ヘッドに前記インクを供給するインク供給手段と、洗浄液を用いて前記記録ヘッドを洗浄するメンテナンス手段とを備えた画像記録装置の前記インク、前記記録ヘッド、及び前記洗浄液のうち少なくとも１つの種類を識別する識別工程と、
前記記録ヘッド及び前記メンテナンス手段のうち少なくとも一方の稼動情報を取得する稼動情報取得工程と、
前記識別した種類に基づいて、前記記録ヘッド、前記インク供給手段、及び前記メンテナンス手段のうち少なくとも１つの最適な動作条件を取得する動作条件取得工程であって、前記取得した稼働情報に応じた最適な動作条件を取得する動作条件取得工程と、
前記取得した最適な動作条件を含む動作条件で前記記録ヘッド、前記インク供給手段、及び前記メンテナンス手段を制御する制御工程と、
を備えた画像記録方法。
【発明の詳細な説明】
【技術分野】
【０００１】
本発明は、画像記録装置及び画像記録方法に関し、特に複数の動作条件の中から最適な動作条件を選択して画像を記録する技術に関する。
【背景技術】
【０００２】
インクジェット記録装置において、安定した画質性能を得るためには、使用するインクや記録ヘッドに応じた動作条件を設定する必要がある。
【０００３】
例えば、特許文献１には、装着されたインクカートリッジのＩＤデータをサーバに送信すると、そのカートリッジの種類に応じたインクパラメータデータが返信され、返信されたインクパラメータデータ内のクリーニングパラメータに従ってインク流路内のクリーニングを行い、駆動信号パラメータに従って駆動信号を生成する技術が開示されている。
【０００４】
引用文献１によれば、インクカートリッジを交換した場合であっても、インクの種類に応じた適切なクリーニングやインクの吐出動作を行うことができる。
【０００５】
また、特許文献２には、ホストから送信されてくるコマンドに記録ヘッドの特性情報が含まれている場合には、この特性情報をメモリに書き込み、書き込まれた特性情報に従って記録ヘッドを制御して記録を行う技術が開示されている。
【０００６】
特許文献２によれば、記録ヘッドを交換した場合であっても、交換した記録ヘッドの特性に応じた制御で記録を行うことができる。
【先行技術文献】
【特許文献】
【０００７】
【特許文献１】特開２００２−２４０３２０号公報
【特許文献２】特開２００２−２５４６２２号公報
【発明の概要】
【発明が解決しようとする課題】
【０００８】
インクジェット記録装置を長期間使用した場合、圧電材料の経時劣化によるアクチュエータの劣化や、メンテナンスによるノズル面の撥液膜の劣化が発生する可能性がある。このような劣化が発生した場合は、発生前とは最適な動作条件が異なってくる。しかしながら、特許文献１、２では、装置の状態変化は考慮されていなかった。
【０００９】
本発明はこのような事情に鑑みてなされたもので、装置の稼動状態に応じて最適な動作条件を設定する画像記録装置及び画像記録方法を提供することを目的とする。
【課題を解決するための手段】
【００１０】
上記目的を達成するために画像記録装置の一の態様は、ノズルからインクを吐出させて記録媒体に記録を行う記録ヘッドと、記録ヘッドにインクを供給するインク供給手段と、洗浄液を用いて記録ヘッドを洗浄するメンテナンス手段と、インク、記録ヘッド、及び洗浄液のうち少なくとも１つの種類を識別する識別手段と、記録ヘッド及びメンテナンス手段のうち少なくとも一方の稼働情報を取得する稼働情報取得手段と、識別した種類に基づいて、記録ヘッド、インク供給手段、及びメンテナンス手段のうち少なくとも１つの最適な動作条件を取得する動作条件取得手段であって、取得した稼働情報に応じた最適な動作条件を取得する動作条件取得手段と、取得した最適な動作条件を含む動作条件で記録ヘッド、インク供給手段、及びメンテナンス手段を制御する制御手段とを備えた。
【００１１】
本態様によれば、インク、記録ヘッド、及び洗浄液のうち少なくとも１つの種類を識別し、記録ヘッド及びメンテナンス手段のうち少なくとも一方の稼働情報を取得し、記録ヘッド、インク供給手段、及びメンテナンス手段のうち少なくとも１つの最適な動作条件を取得した稼働情報に応じて取得し、取得した最適な動作条件を含む動作条件で記録ヘッド、インク供給手段、及びメンテナンス手段を制御するようにしたので、経時変化を予測した最適な動作条件の設定ができ、装置寿命を延命し、メンテナンス負荷を低減することができる。
【００１２】
記録ヘッドの稼動情報は、各ノズルの累積吐出回数を含むことが好ましい。これにより、適切に記録ヘッドの経時変化を予測することができる。
【００１３】
メンテナンス手段の稼動情報は、記録ヘッドの洗浄回数を含むことが好ましい。これにより、適切にメンテナンス手段及び記録ヘッドの経時変化を予測することができる。
【００１４】
記録ヘッドは、ノズルからインクを吐出するための駆動素子をノズル毎に備え、記録ヘッドの動作条件は、駆動素子の駆動信号を含むことが好ましい。これにより、適切に記録ヘッドを制御することができる。
【００１５】
インク供給手段の動作条件は、記録ヘッドにインクを供給する圧力値を含むことが好ましい。これにより、適切にインク供給手段を制御することができる。
【００１６】
メンテナンス手段の動作条件は、洗浄の頻度及び洗浄液の量の少なくとも一方を含むことが好ましい。これにより、適切にメンテナンス手段を制御することができる。
【００１７】
インクを貯留するインクタンクであって、インクの種類の情報を含むバーコードが備えられたインクタンクを備え、識別手段は、バーコードを読み取ることでインクの種類を識別することが好ましい。これにより、自動的にインクの種類を識別することができるので、ユーザ操作性を向上させることができる。
【００１８】
記録ヘッドは、記録ヘッドの種類の情報を記憶したＩＣタグを備え、識別手段は、ＩＣタグの情報を読み取ることで記録ヘッドの種類を識別することが好ましい。これにより、自動的に記録ヘッドの種類を識別することができるので、ユーザ操作性を向上させることができる。
【００１９】
洗浄液を貯留する洗浄液タンクであって、洗浄液の種類の情報を含むバーコードが備えられた洗浄液タンクを備え、識別手段は、バーコードを読み取ることで洗浄液の種類を識別することが好ましい。これにより、自動的に洗浄液の種類を識別することができるので、ユーザ操作性を向上させることができる。
【００２０】
画像記録装置のハードウェア情報を記憶するハードウェア情報記憶手段を備え、動作条件取得手段は、記憶されたハードウェア情報に基づいて、記録ヘッド、インク供給手段、及びメンテナンス手段のうち少なくとも１つの最適な動作条件を取得することが好ましい。このように、事前にハードウェア情報を記憶させておくことで、ユーザ操作性を向上させることができる。
【００２１】
記録ヘッドは、複数のヘッドモジュールと、複数のヘッドモジュールを保持する保持手段から構成され、ハードウェア情報は、保持手段の情報を含むことが好ましい。これにより、保持手段に応じた最適な動作条件を取得することができる。
【００２２】
ハードウェア情報は、インク供給手段の情報を含むことが好ましい。これにより、インク供給手段に応じた最適な動作条件を取得することができる。
【００２３】
記録ヘッド、インク供給手段、及びメンテナンス手段のうち少なくとも１つの最適な動作条件を記憶するデータベースと、画像記録装置外部のメンテナンスサーバと通信する通信手段と、メンテナンスサーバから記録ヘッド、インク供給手段、及びメンテナンス手段のうち少なくとも１つの最新の動作条件を取得し、データベースを更新する更新手段とを備えることが好ましい。これにより、常に最新の動作条件の中から最適な動作条件を取得することができる。
【００２４】
上記目的を達成するために画像記録方法の一の態様は、ノズルからインクを吐出させて記録媒体に記録を行う記録ヘッドと、記録ヘッドにインクを供給するインク供給手段と、洗浄液を用いて記録ヘッドを洗浄するメンテナンス手段とを備えた画像記録装置のインク、記録ヘッド、及び洗浄液のうち少なくとも１つの種類を識別する識別工程と、記録ヘッド及びメンテナンス手段のうち少なくとも一方の稼動情報を取得する稼動情報取得工程と、識別した種類に基づいて、記録ヘッド、インク供給手段、及びメンテナンス手段のうち少なくとも１つの最適な動作条件を取得する動作条件取得工程であって、取得した稼働情報に応じた最適な動作条件を取得する動作条件取得工程と、取得した最適な動作条件を含む動作条件で記録ヘッド、インク供給手段、及びメンテナンス手段を制御する制御工程とを備えた。
【００２５】
本態様によれば、インク、記録ヘッド、及び洗浄液のうち少なくとも１つの種類を識別し、記録ヘッド及びメンテナンス手段のうち少なくとも一方の稼働情報を取得し、記録ヘッド、インク供給手段、及びメンテナンス手段のうち少なくとも１つの最適な動作条件を取得した稼働情報に応じて取得し、取得した最適な動作条件を含む動作条件で記録ヘッド、インク供給手段、及びメンテナンス手段を制御するようにしたので、経時変化を予測した最適な動作条件の設定ができ、装置寿命を延命し、メンテナンス負荷を低減することができる。
【発明の効果】
【００２６】
本発明によれば、装置の稼動状態を把握することで、経時変化を予測した動作条件の設定ができるので、装置寿命を延命し、メンテナンス負荷を低減することができる。
【図面の簡単な説明】
【００２７】
【図１】インクジェット記録システムの構成を示すブロック図
【図２】インクジェット記録システムの動作を示すフローチャート
【図３】インクジェット記録装置の全体構成を示した構成図
【図４】描画部の平面図
【図５】インクジェットヘッドの概略構成図
【図６】ヘッドモジュールのノズル配列を示す平面図
【図７】液滴吐出素子の立体的構成を示す断面図
【図８】払拭ユニットの概略構成を示す模式図
【図９】インクジェット記録装置の制御系の概略構成を示すブロック図
【発明を実施するための形態】
【００２８】
以下、添付図面に従って本発明の好ましい実施の形態について説明する。
【００２９】
〔インクジェット記録システムの構成〕
図１は、インクジェット記録システム（画像記録システムの一例）の構成を示すブロック図である。インクジェット記録システム１は、記録媒体２の記録面に画像を記録するシステムであり、図１に示すように、インクジェット記録装置１０とメンテナンスサーバ６０とから構成される。
【００３０】
インクジェット記録システム１が使用可能な記録媒体には、例えばインクの滲みの程度が異なる複数種類の記録媒体が存在する。記録媒体２は、この複数種類の記録媒体の中からいずれかが選択され、使用される。
【００３１】
インクジェット記録装置１０は、画像記録部２０、制御部３０、識別部４０、データベース５１、最適条件取得部５２、稼動情報記憶部５３、通信部５４、ハードウェア情報記憶部５５、及び入出力インターフェース５６等から構成される。
【００３２】
画像記録部２０は、いわゆるプリンタの機能を有するものであり、記録ヘッド２３、インクタンク２４、ポンプ２５、クリーニング部２７、及び洗浄液タンク２８等から構成され、搬送手段（不図示・移動手段の一例）により搬送される記録媒体２の記録面に画像を記録する。
【００３３】
記録ヘッド２３は、複数のヘッドモジュール２１と、複数のヘッドモジュール２１を保持するヘッド固定部２２（保持手段の一例）とから構成される。ヘッドモジュール２１のノズル面には、それぞれ複数のノズルが形成され、ノズルからインク２４ａを吐出することでノズル面に対向する記録媒体２に画像を記録する。
【００３４】
なお、記録ヘッド２３は、それぞれ種類の異なるヘッドモジュール２１を使用可能である。例えば、記録ヘッド２３には、インク流路抵抗やインクの吐出性能が異なる複数種類のヘッドモジュール２１が存在する場合がある。
【００３５】
ノズルから吐出するインク２４ａは、供給流路２６によりヘッドモジュール２１と連通するインクタンク２４に貯留されている。インクタンク２４の外壁面には、内部に貯留されたインク２４ａの種類情報を含むバーコードが記載されている。インク２４ａは、ヘッドモジュール２１毎に配置されたポンプ２５（インク供給手段の一例）により、インクタンク２４から各ヘッドモジュール２１に送液される。供給流路２６には、流路内の圧力を検知する圧力センサ（不図示）が設けられている。
【００３６】
なお、１つのポンプ２５から複数のヘッドモジュール２１に対してインク２４ａを送液する構成としてもよい。また、インクタンク２４とヘッドモジュール２１とをさらに循環流路で連通し、循環流路に配置した循環用ポンプを用いてヘッドモジュール２１内のインク２４ａをインクタンク２４へ送液することで、インク２４ａを循環させる構成としてもよい。
【００３７】
画像記録部２０が使用可能なインクには、例えば粘度が異なる複数種類のインクが存在する。インク２４ａは、この複数種類のインクの中からいずれかが選択され、使用される。
【００３８】
クリーニング部２７は、洗浄液タンク２８に貯留された洗浄液２８ａを払拭ウェブ２７ａに含浸させ、この払拭ウェブ２７ａによりヘッドモジュール２１のノズル面を払拭するメンテナンス手段である。複数のヘッドモジュール２１のうち、選択されたヘッドモジュール２１のみを払拭することが可能に構成されている。
【００３９】
クリーニング部２７が使用可能な払拭ウェブ２７ａには、例えば吸水性能が異なる複数種類の払拭ウェブが存在する。払拭ウェブ２７ａは、この複数種類の払拭ウェブの中からいずれかが選択され、使用される。
【００４０】
また、クリーニング部２７が使用可能な洗浄液には、例えば洗浄性能が異なる複数種類の洗浄液が存在する。洗浄液２８ａは、この複数種類の洗浄液の中からいずれかが選択され、使用される。洗浄液タンク２８の外壁面には、内部に貯留された洗浄液２８ａの種類情報を含むバーコードが記載されている。
【００４１】
制御部３０（制御手段の一例）は、ヘッド制御部３１、ポンプ制御部３２、及びクリーニング制御部３３から構成され、それぞれ記録ヘッド２３、ポンプ２５、クリーニング部２７を定められた動作条件で制御する。
【００４２】
識別部４０（識別手段の一例）は、記録媒体識別部４１、ヘッドモジュール識別部４２、インク識別部４３、ウェブ識別部４４、洗浄液識別部４５から構成され、それぞれ記録媒体２、ヘッドモジュール２１、インク２４ａ、払拭ウェブ２７ａ、洗浄液２８ａの種類を識別する。
【００４３】
例えば、記録媒体識別部４１は、カセットやマガジンに取り付けられたバーコードあるいはＩＣタグ（Integrated Circuit タグ）等の情報記録体を読取装置によって読み取ることで、使用される記録媒体２の種類を識別する。また、記録媒体２の反射率を測定することで、記録媒体２の種類を推測してもよい。
【００４４】
また、ヘッドモジュール２１には、その種類情報が記憶されたＩＣタグが取り付けられている。ヘッドモジュール識別部４２は、ヘッド固定部２２に固定されているヘッドモジュール２１のＩＣタグの情報をＩＣタグリーダにより読み取ることで、各ヘッドモジュール２１の種類を識別する。
【００４５】
また、インク識別部４３は、インクタンク２４に備えられたバーコードをバーコードリーダによって読み取ることで、インク２４ａの種類を識別する。
【００４６】
同様に、ウェブ識別部４４は、ウェブカセット（不図示）に備えられたバーコードをバーコードリーダによって読み取ることで、払拭ウェブ２７ａの種類を識別する。さらに、洗浄液識別部４５は、洗浄液タンク２８に備えられたバーコードをバーコードリーダによって読み取ることで、洗浄液２８ａの種類を識別する。
【００４７】
なお、識別部４０が記録媒体２、ヘッドモジュール２１、インク２４ａ、払拭ウェブ２７ａ、洗浄液２８ａの種類を識別する手段はこれに限定されるものではなく、公知の識別手段を適宜用いることができる。
【００４８】
データベース５１は、記録媒体２、ヘッドモジュール２１、インク２４ａ、払拭ウェブ２７ａ、及び後述するハードウェア情報のそれぞれの種類と、さらに後述する稼動情報を組み合わせた場合における記録ヘッド２３、ポンプ２５、クリーニング部２７の最適な動作条件が記憶されたテーブル情報である。
【００４９】
例えば、記録ヘッド２３の動作条件としては、ヘッドモジュール２１の各ノズルからインク２４ａを吐出するためのアクチュエータ（駆動素子の一例、図１では不図示）の駆動信号や、ヘッド固定部２２が備えた制御基板（不図示）に対してファンを回転させて冷却する空冷手段（不図示）の風量を含んでいる。
【００５０】
また、ポンプ２５の動作条件としては、ヘッドモジュール２１のノズル背圧を制御する回転数（圧力値）を含んでいる。さらに、クリーニング部２７の動作条件としては、ヘッドモジュール２１のノズル面を払拭する頻度、及び一度のクリーニングで使用する洗浄液２８ａの量を含んでいる。
【００５１】
最適条件取得部５２（動作条件取得手段の一例）は、記録媒体２、ヘッドモジュール２１、インク２４ａ、払拭ウェブ２７ａのそれぞれの種類に基づいて、ヘッドモジュール２１、ポンプ２５、クリーニング部２７の最適な動作条件をデータベース５１から取得する。
【００５２】
ヘッド制御部３１、ポンプ制御部３２、クリーニング制御部３３は、この最適な動作条件により記録ヘッド２３、ポンプ２５、クリーニング部２７を制御する。
【００５３】
稼動情報記憶部５３（稼動情報取得手段の一例）は、画像記録部２０の稼動情報を定期的に取得し、記憶している。例えば、ヘッドモジュール２１の各ノズルの累積吐出回数とヘッドモジュール２１のノズル面のクリーニング回数等を稼動情報として取得し、記憶する。
【００５４】
この稼動情報に基づいて、最適条件取得部５２は、最適な動作条件を変更し、変更した最適条件をヘッド制御部３１、ポンプ制御部３２、クリーニング制御部３３に出力する。
【００５５】
通信部５４は、メンテナンスサーバ６０と有線又は無線で通信を行う通信インターフェースである。
【００５６】
ハードウェア情報記憶部５５（ハードウェア情報記憶手段の一例）は、ヘッド固定部２２、ポンプ２５、供給流路２６、クリーニング部２７等の種類（ハードウェア情報）を記憶するメモリである。例えば、ヘッド固定部２２の種類によって、制御基板の発熱量や空冷手段の冷却性能が異なる。また、ポンプ２５、供給流路２６の種類によって、インクの送液性能が異なる。さらに、クリーニング部２７の種類によって、クリーニング性能が異なる。したがって、最適条件取得部５２が最適条件を取得する際には、これらのハードウェア情報を考慮する。
【００５７】
なお、このハードウェア情報は、例えばインクジェット記録装置１０を設置する際に、サービスマンやユーザが入出力インターフェース５６を用いてハードウェア情報記憶部５５に登録することができる。
【００５８】
入出力インターフェース５６は、ユーザが上述のハードウェア情報の登録を行うための入力部や、警告表示等を表示する出力部を有している。
【００５９】
メンテナンスサーバ６０は、通信部６１、データベース６２等から構成される。
【００６０】
通信部６１は、複数のインクジェット記録装置１０と有線又は無線で通信を行うことができる通信インターフェースである。データベース６２は、ヘッドモジュール２１、ポンプ２５、クリーニング部２７の複数の動作条件が記憶されている。
【００６１】
メンテナンスサーバ６０と通信接続したインクジェット記録装置１０は、データベース６２から最新の動作条件を取得し、更新手段（不図示）によりデータベース５１を更新することができる。
【００６２】
また、メンテナンスサーバ６０は、稼動情報記憶部５３からインクジェット記録装置１０の稼動情報を取得することで、インク２４ａや払拭ウェブ２７ａ、洗浄液２８ａ等の消耗部品の交換時期を予測するリモートメンテナンス機能を備えてもよい。これにより、メンテナンス負荷を低減し、サービス機能を効率化することができる。
【００６３】
〔インクジェット記録システムの動作〕
次に、インクジェット記録システムの動作について、図２に示すフローチャートを用いて説明する。
【００６４】
（ステップＳ１）
最初に、最適条件取得部５２は、ハードウェア情報記憶部５５からヘッド固定部２２、ポンプ２５等のハードウェア情報を取得する。
【００６５】
（ステップＳ２〜Ｓ６：識別工程の一例）
次に、識別部４０は、インクジェット記録システムを構成する各構成要素の種類を識別する。即ち、記録媒体識別部４１、ヘッドモジュール識別部４２、インク識別部４３、ウェブ識別部４４、及び洗浄液識別部４５が、それぞれ使用される記録媒体２、ヘッドモジュール２１、インク２４ａ、払拭ウェブ２７ａ、及び洗浄液２８ａの種類を識別する。
【００６６】
識別された情報は、最適条件取得部５２に入力される。
【００６７】
（ステップＳ７：動作条件取得工程の一例）
次に、最適条件取得部５２は、稼動情報記憶部５３から、ヘッドモジュール２１の各ノズルの累積吐出回数、ヘッドモジュール２１のノズル面のクリーニング回数（洗浄回数）等、記録ヘッド２３及びクリーニング部２７の稼動情報を取得する。
【００６８】
（ステップＳ８：動作条件取得工程の一例）
最適条件取得部５２は、取得したヘッド固定部２２、ポンプ２５等のハードウェア情報、記録媒体２、ヘッドモジュール２１、インク２４ａ、払拭ウェブ２７ａ、及び洗浄液２８ａの種類情報に基づいて、データベース５１から記録ヘッド２３、ポンプ２５、及びクリーニング部２７の最適動作条件を取得する。
【００６９】
ヘッドモジュール２１がｍ種類、インク２４ａがｎ種類存在する場合であれば、ヘッドモジュール２１とインク２４ａとの組み合わせはｍ×ｎ通りとなる。この場合、データベース５１には、このｍ×ｎ通りの組み合わせに対する最適な記録ヘッド２３の最適動作条件が記憶されている。例えば、アクチュエータのピエゾ圧電定数が小さいヘッドモジュール２１と粘度が高いインク２４ａの組み合わせに対しては、最適動作条件として駆動波形パルスの高い条件が選択されるように記憶している。
【００７０】
さらに、供給流路２６の種類がｋ種類存在する場合であれば、ヘッドモジュール２１、インク２４ａ、及び供給流路２６の組み合わせはｍ×ｎ×ｋ通りとなる。この場合、データベース５１には、このｍ×ｎ×ｋ通りの組み合わせに対する最適なポンプ２５の最適動作条件が記憶されている。例えば、ヘッドモジュール２１の内部のインク流路抵抗、インクの粘度、供給流路２６の流路抵抗に応じて、適切なノズル背圧となるポンプ２５の回転数（圧力値）を最適な動作条件として記憶している。
【００７１】
なお、記録媒体２、ヘッドモジュール２１、インク２４ａ、払拭ウェブ２７ａに未知の種類のものが含まれている等により、データベース５１に最適動作条件が記憶されていない場合には、通信部５４を介してメンテナンスサーバ６０と通信を行い、メンテナンスサーバ６０のデータベース６２から最新の動作条件を取得し、データベース５１を更新すればよい。
【００７２】
また、ヘッド固定部２２、ポンプ２５、供給流路２６、クリーニング部２７や、記録媒体２、ヘッドモジュール２１、インク２４ａ、払拭ウェブ２７ａの組み合わせにおいて、使用不可能な組み合わせや好ましくない組み合わせになっている場合には、入出力インターフェース５６において、その旨の警告表示を行う。
【００７３】
例えば、本来ヘッド固定部２２では固定できないヘッドモジュール２１が組み合わせられている場合や、記録媒体２の種類には適さないインク２４ａが組み合わせられている場合、払拭ウェブ２７ａと洗浄液２８ａの組み合わせやインク２４ａと洗浄液２８ａの組み合わせが好ましくない場合等が考えられる。
【００７４】
ここでは、記録ヘッド２３の最適動作条件として、インクの吐出条件が最適となるアクチュエータの駆動信号とヘッド固定部２２の冷却状態が最適となる空冷手段の風量条件、ポンプ２５の最適動作条件として、ヘッドモジュール２１のノズルの背圧が最適な値となるポンプ２５の回転数（圧力値）、クリーニング部２７の動作条件として、ヘッドモジュール２１のノズル面を払拭する最適な頻度及び一度のクリーニングで使用する最適な洗浄液量を取得する。
【００７５】
また、最適条件取得部５２は、ここで取得した最適動作条件を、ステップＳ７で取得した稼動情報に基づいて変更する。
【００７６】
例えば、ヘッドモジュール２１の各ノズルの累積吐出回数から、ノズルの寿命を予測することができる。この予測から、寿命の近いヘッドモジュール２１のアクチュエータの駆動信号を変更したり、ポンプ２５の回転数を緩和したりすることで、寿命を延命することができる。
【００７７】
また、ヘッドモジュール２１のノズル面のクリーニング回数から、ノズル面の寿命を予測することができる。この予測から、寿命の近いヘッドモジュール２１のノズル面の払拭頻度を減少させることで、寿命を延命することができる。
【００７８】
この稼動情報に基づく変更は、データベース５１に記憶されたテーブルに基づいて行ってもよいし、アクチュエータの駆動信号の電圧をＸ倍に変更したり、ポンプ２５の回転数をＹ倍に変更したりする等、特定の係数を乗算することによって行ってもよい。
【００７９】
変更された最適動作条件は、それぞれヘッド制御部３１、ポンプ制御部３２、クリーニング制御部３３に出力される。
【００８０】
（ステップＳ９：制御工程の一例）
ヘッド制御部３１、ポンプ制御部３２は、入力された最適動作条件に基づいてそれぞれ記録ヘッド２３、ポンプ２５を制御し、記録媒体２に画像を記録する。また、クリーニング制御部３３は、入力された最適動作条件に基づいてクリーニング部２７を制御し、ヘッドモジュール２１のノズル面を払拭する。
【００８１】
これらの動作に伴い、稼動情報記憶部５３は、記録ヘッド２３、クリーニング部２７の稼動情報を取得し、記憶内容を更新する。
【００８２】
（ステップＳ１０）
次に、最適条件取得部５２は、記録媒体２、ヘッドモジュール２１、インク２４ａ、払拭ウェブ２７ａ、洗浄液２８ａの各構成要素の交換があったか否かを判定する。各構成要素の交換の有無は、各構成要素の交換を検知するセンサを設け、このセンサの出力に基づいて判断してもよいし、交換の際にユーザが入出力インターフェース５６を用いて交換した旨を入力するように構成してもよい。
【００８３】
構成要素の交換があった場合は、ステップＳ２に戻り、識別部４０により各構成要素の識別を行う。なお、全ての構成要素の識別を行うのではなく、交換された構成要素のみを再識別してもよい。
【００８４】
（ステップＳ１１）
構成要素の交換がない場合は、画像記録が終了したか否かを判定する。
【００８５】
画像記録を終了した場合は、全ての処理を終了する。終了していない場合は、ステップＳ７に戻り、同様の処理を繰り返す。必要であれば、更新された稼動情報に応じて最適条件を変更する。
【００８６】
以上のように、本実施形態によれば、システムを構成する構成要素の稼動状態を把握することで、装置寿命を予測し、寿命予測に合わせた動作条件を設定することができる。したがって、装置寿命を延命し、メンテナンス負荷を低減することができる。
【００８７】
なお、本実施の形態では、使用される記録媒体２、ヘッドモジュール２１、インク２４ａ、払拭ウェブ２７ａ、及び洗浄液２８ａの種類を識別しているが、このうち少なくとも１つの種類を識別すればよい。また、ハードウェア情報としてヘッド固定部２２、ポンプ２５、供給流路２６、クリーニング部２７の種類を記憶しているが、このうち少なくとも１つの種類を記憶すればよい。
【００８８】
また、データベース５１から記録ヘッド２３、ポンプ２５、及びクリーニング部２７の最適動作条件を取得しているが、このうち少なくとも１つの最適動作条件を取得すればよい。
【００８９】
また、稼動情報としてヘッドモジュール２１の各ノズルの累積吐出回数とヘッドモジュール２１のノズル面のクリーニング回数を取得しているが、このうち少なくとも一方の稼動情報を取得すればよい。なお、記録を行う画像の絵柄を解析することで、各ノズルの累積吐出回数を予測し、予測した累積吐出回数を稼動情報記憶部５３に記憶する態様も可能である。これにより、予測した稼動情報に基づいて、最適動作条件を変更することができる。
【００９０】
さらに、取得した稼動情報に基づいて最適動作条件を変更する際においても、記録ヘッド２３、ポンプ２５、及びクリーニング部２７のうち少なくとも１つの最適動作条件を変更すればよい。
【００９１】
〔インクジェット記録装置の他の実施形態〕
図３は、本実施形態に係るインクジェット記録装置の全体構成を示した構成図である。同図に示すインクジェット記録装置２００は、色材を含有するインクと該インクを凝集させる機能を有する凝集処理液を用いて、所定の画像データに基づいて記録媒体２１４の記録面に画像を形成する二液凝集方式の記録装置である。
【００９２】
インクジェット記録装置２００は、主として、給紙部２２０、処理液塗布部２３０、描画部２４０、乾燥処理部２５０、定着処理部２６０、及び排出部２７０を備えて構成される。また、図３では図示を省略されているが、描画部２４０には払拭ユニット（メンテナンス手段の一例）が設けられている。
【００９３】
処理液塗布部２３０、描画部２４０、乾燥処理部２５０、定着処理部２６０の前段に搬送される記録媒体２１４の受け渡しを行う手段として渡し胴２３２，２４２，２５２，２６２が設けられるとともに、処理液塗布部２３０、描画部２４０、乾燥処理部２５０、定着処理部２６０のそれぞれに記録媒体２１４を保持しながら搬送する手段として、ドラム形状を有する圧胴２３４，２４４，２５４，２６４が設けられている。
【００９４】
渡し胴２３２〜２６２及び圧胴２３４〜２６４は、外周面の所定位置に記録媒体２１４の先端部を挟んで保持するグリッパー２８０Ａ，２８０Ｂが設けられている。グリッパー２８０Ａとグリッパー２８０Ｂにおける記録媒体２１４の先端部を挟んで保持する構造、及び他の圧胴又は渡し胴に備えられるグリッパーとの間で記録媒体２１４の受け渡しを行う構造は同一であり、かつ、グリッパー２８０Ａとグリッパー２８０Ｂは、圧胴２３４の外周面の圧胴２３４の回転方向について１８０°移動させた対称位置に配置されている。
【００９５】
グリッパー２８０Ａ，２８０Ｂにより記録媒体２１４の先端部を狭持した状態で渡し胴２３２〜２６２及び圧胴２３４〜２６４を所定の方向に回転させると、渡し胴２３２〜２６２及び圧胴２３４〜２６４の外周面に沿って記録媒体２１４が回転搬送される。
【００９６】
なお、図３中、圧胴２３４に備えられるグリッパー２８０Ａ，２８０Ｂのみ符号を付し、他の圧胴及び渡し胴のグリッパーの符号は省略する。
【００９７】
給紙部２２０に収容されている記録媒体（枚葉紙）２１４が処理液塗布部２３０に給紙されると、圧胴２３４の外周面に保持された記録媒体２１４の記録面に、凝集処理液（以下、単に「処理液」と記載することがある。）が付与される。なお、「記録媒体２１４の記録面」とは、圧胴２３４〜２６４の保持された状態における外側面であり、圧胴２３４〜２６４に保持される面と反対面である。
【００９８】
その後、凝集処理液が付与された記録媒体２１４は描画部２４０に送出され、描画部２４０において記録面の凝集処理液が付与された領域に色インクが付与され、所望の画像が形成される。
【００９９】
さらに、該色インクによる画像が形成された記録媒体２１４は乾燥処理部２５０に送られ、乾燥処理部２５０において乾燥処理が施されるとともに、乾燥処理後に定着処理部２６０に送られ、定着処理が施される。乾燥処理及び定着処理が施されることで、記録媒体２１４上に形成された画像が堅牢化される。このようにして、記録媒体２１４の記録面に所望の画像が形成され、該画像が記録媒体２１４の記録面に定着した後に、排出部２７０から装置外部に搬送される。
【０１００】
以下、インクジェット記録装置２００の各部（給紙部２２０、処理液塗布部２３０、描画部２４０、乾燥処理部２５０、定着処理部２６０、排出部２７０）について詳細に説明する。
【０１０１】
（給紙部）
給紙部２２０は、給紙トレイ２２２と不図示の送り出し機構が設けられ、記録媒体２１４は給紙トレイ２２２から一枚ずつ送り出されるように構成されている。給紙トレイ２２２から送り出された記録媒体２１４は、渡し胴（給紙胴）２３２のグリッパー（不図示）の位置に先端部が位置するように不図示のガイド部材によって位置決めされて一旦停止する。そして、グリッパー（不図示）が記録媒体２１４の先端部を挟んで保持し、処理液胴２３４に備えられるグリッパーとの間で記録媒体２１４の受け渡しを行う。
【０１０２】
（処理液塗布部）
処理液塗布部２３０は、給紙胴２３２から受け渡された記録媒体２１４を外周面に保持して記録媒体２１４を所定の搬送方向へ搬送する処理液胴（処理液ドラム）２３４と、処理液胴２３４の外周面に保持された記録媒体２１４の記録面に処理液を付与する処理液塗布装置２３６と、含んで構成されている。処理液胴２３４を図３における反時計回りに回転させると、記録媒体２１４は処理液胴２３４の外周面に沿って反時計回り方向に回転搬送される。
【０１０３】
図３に示す処理液塗布装置２３６は、処理液胴２３４の外周面（記録媒体保持面）と対向する位置に設けられている。処理液塗布装置２３６の構成例として、処理液が貯留される処理液容器と、処理液容器の処理液に一部が浸漬され、処理液容器内の処理液を汲み上げる汲み上げローラと、汲み上げローラにより汲み上げられた処理液を記録媒体２１４上に移動させる塗布ローラ（ゴムローラ）と、を含んで構成される態様が挙げられる。
【０１０４】
なお、該塗布ローラを上下方向（処理液胴２３４の外周面の法線方向）に移動させる塗布ローラ移動機構を備え、記録媒体２１４以外の部分に処理液の塗布を行わないように構成する態様が好ましい。また、記録媒体２１４の先端部を挟持するグリッパー２８０Ａ，２８０Ｂは、周面から突出しないように配置されている。
【０１０５】
処理液塗布装置２３６により記録媒体２１４に付与される処理液は、描画部２４０で付与されるインク中の色材（顔料）を凝集させる色材凝集剤を含有し、記録媒体２１４上で処理液とインクとが接触すると、インク中の色材と溶媒との分離が促進される。
【０１０６】
処理液塗布装置２３６は、記録媒体２１４に塗布される処理液量を計量しながら塗布することが好ましく、記録媒体２１４上の処理液の膜厚は、描画部２４０から打滴されるインク液滴の直径より十分に小さくすることが好ましい。
【０１０７】
（描画部）
描画部２４０は、図１に示す画像記録部２０に相当するものであり、記録媒体２１４を保持して搬送する描画胴（描画ドラム）２４４（移動手段の一例）と、記録媒体２１４を描画胴２４４に密着させるための用紙押さえローラ２４６と、記録媒体２１４にインクを付与するインクジェットヘッド２４８Ｍ，２４８Ｋ，２４８Ｃ，２４８Ｙ（記録ヘッドの一例）を備えている。描画胴２４４の基本構造は先に説明した処理液胴２３４と共通している。
【０１０８】
用紙押さえローラ２４６は、描画胴２４４の外周面に記録媒体２１４を密着させるためのガイド部材であり、描画胴２４４の外周面に対向し、渡し胴２４２と描画胴２４４との記録媒体２１４の受け渡し位置よりも記録媒体２１４の搬送方向下流側であり、且つ、インクジェットヘッド２４８Ｍ，２４８Ｋ，２４８Ｃ，２４８Ｙよりも記録媒体２１４の搬送方向上流側に配置される。
【０１０９】
また、用紙押さえローラ２４６と記録媒体２１４の搬送方向における最上流側のインクジェットヘッド２４８Ｍとの間には、用紙浮き検出センサ（不図示）が配置されている。該用紙浮き検出センサは、記録媒体２１４がインクジェットヘッド２４８Ｍ，２４８Ｋ，２４８Ｃ，２４８Ｙの直下に進入する直前の浮き量を検出している。本例に示すインクジェット記録装置２００は、用紙浮き検出センサにより検出された記録媒体２１４の浮き量
が所定のしきい値を超える場合には、その旨を報知するとともに記録媒体２１４の搬送を中断させるように構成されている。
【０１１０】
渡し胴２４２から描画胴２４４に受け渡された記録媒体２１４は、グリッパー（符号省略）によって先端が保持された状態で回転搬送される際に、用紙押さえローラ２４６によって押圧され、描画胴２４４の外周面に密着する。このようにして、記録媒体２１４を描画胴２４４の外周面に密着させた後に、描画胴２４４の外周面から浮き上がりのない状態で、インクジェットヘッド２４８Ｍ，２４８Ｋ，２４８Ｃ，２４８Ｙの直下の印字領域に送られる。
【０１１１】
インクジェットヘッド２４８Ｍ，２４８Ｋ，２４８Ｃ，２４８Ｙはそれぞれ、マゼンダ（Ｍ）、黒（Ｋ）、シアン（Ｃ）、イエロー（Ｙ）の４色のインクに対応しており、描画胴２４４の回転方向（図３における反時計回り方向）に上流側から順に配置されるとともに、インクジェットヘッド２４８Ｍ，２４８Ｋ，２４８Ｃ，２４８Ｙのインク吐出面（ノズル面）が描画胴２４４に保持された記録媒体２１４の記録面と対向するように配置される。なお、「インク吐出面（ノズル面）」とは、記録媒体２１４の記録面と対向するインクジェットヘッド２４８Ｍ，２４８Ｋ，２４８Ｃ，２４８Ｙの面であり、後述するインクが吐出されるノズル（図６に符号３０８を付して図示する）が形成される面である。
【０１１２】
また、図３に示すインクジェットヘッド２４８Ｍ，２４８Ｋ，２４８Ｃ，２４８Ｙは、描画胴２４４の外周面に保持された記録媒体２１４の記録面とインクジェットヘッド２４８Ｍ，２４８Ｋ，２４８Ｃ，２４８Ｙのノズル面が略平行となるように、水平面に対して傾けられて配置されている。
【０１１３】
インクジェットヘッド２４８Ｍ，２４８Ｋ，２４８Ｃ，２４８Ｙは、記録媒体２１４における画像形成領域の最大幅（記録媒体２１４の搬送方向と直交する方向の長さ）に対応する長さを有するフルライン型のヘッドであり、記録媒体２１４の搬送方向と直交する方向に延在するように固定設置される。また、インクジェットヘッド２４８Ｍ，２４８Ｋ，２４８Ｃ，２４８Ｙのそれぞれは、詳細を後述するインク供給装置からインクが供給される。
【０１１４】
インクジェットヘッド２４８Ｍ，２４８Ｋ，２４８Ｃ，２４８Ｙのノズル面には、記録媒体２１４の画像形成領域の全幅にわたってインク吐出用のノズルがマトリクス配置されて形成されている。
【０１１５】
記録媒体２１４がインクジェットヘッド２４８Ｍ，２４８Ｋ，２４８Ｃ，２４８Ｙの直下の印字領域に搬送されると、インクジェットヘッド２４８Ｍ，２４８Ｋ，２４８Ｃ，２４８Ｙから記録媒体２１４の凝集処理液が付与された領域に画像データに基づいて各色のインクが吐出（打滴）される。
【０１１６】
インクジェットヘッド２４８Ｍ，２４８Ｋ，２４８Ｃ，２４８Ｙから、対応する色インクの液滴が、描画胴２４４の外周面に保持された記録媒体２１４の記録面に向かって吐出されると、記録媒体２１４上で処理液とインクが接触し、インク中に分散する色材（顔料系色材）又は不溶化する色材（染料系色材）の凝集反応が発現し、色材凝集体が形成される。これにより、記録媒体２１４上に形成された画像における色材の移動（ドットの位置ずれ、ドットの色ムラ）が防止される。
【０１１７】
また、描画部２４０の描画胴２４４は、処理液塗布部２３０の処理液胴２３４に対して構造上分離しているので、インクジェットヘッド２４８Ｍ，２４８Ｋ，２４８Ｃ，２４８Ｙに処理液が付着することがなく、インクの吐出異常の要因を低減することができる。
【０１１８】
なお、本例では、ＭＫＣＹの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【０１１９】
また、図３には図示されていないが、描画部２４０は、ノズル面清掃装置８０及び保湿ユニット９０を備えている。
【０１２０】
図４は、描画部２４０の平面図である。描画胴２４４の記録媒体２１４の搬送方向に直交する方向に保湿ユニット９０が配置され、描画ドラム２４４と保湿ユニット９０との間には、ノズル面清掃装置８０が配置されている。
【０１２１】
各インクジェットヘッド２４８Ｍ，２４８Ｋ，２４８Ｃ，２４８Ｙは、ヘッド支持フレーム（不図示・保持手段の一例）に取り付けられる。このヘッド支持フレームは、ヘッド支持フレーム移動機構（不図示）に駆動されて、描画ドラム２４４に保持された記録媒体２１４に印刷を行う画像記録位置と、後述する保湿ユニット９０でノズル面の保湿を行う保湿位置との間を移動可能に設けられる。
【０１２２】
ノズル面清掃装置８０は、各インクジェットヘッド２４８Ｍ，２４８Ｋ，２４８Ｃ，２４８Ｙのノズル面をそれぞれ払拭する払拭ユニット１００Ｍ、１００Ｋ、１００Ｃ、１００Ｙと、各払拭ユニット１００Ｍ、１００Ｋ、１００Ｃ、１００Ｙをそれぞれ昇降させる払拭ユニット昇降機構（不図示）とから構成される。払拭ユニット１００Ｍ、１００Ｋ、１００Ｃ、１００Ｙは、ヘッド支持フレーム移動機構により上部を移動する各インクジェットヘッド２４８Ｍ，２４８Ｋ，２４８Ｃ，２４８Ｙのノズル面を払拭清掃する。
【０１２３】
保湿ユニット９０は、キャップ９２Ｍ，９２Ｋ，９２Ｃ，９２Ｙと、その下方位置には廃液トレイ９４を備えている。キャップ９２Ｍ，９２Ｋ，９２Ｃ，９２Ｙは、ヘッド支持フレーム移動機構により移動された各インクジェットヘッド２４８Ｍ，２４８Ｋ，２４８Ｃ，２４８Ｙのノズル面を覆い、密封可能に構成されている。
【０１２４】
描画胴２４４で画像が形成された記録媒体２１４は、描画胴２４４から渡し胴２５２を介して乾燥処理部２５０の乾燥胴２５４へ受け渡される。
【０１２５】
（乾燥処理部）
乾燥処理部２５０は、画像形成後の記録媒体２１４を保持して搬送する乾燥胴（乾燥ドラム）２５４と、該記録媒体２１４上の水分（液体成分）を蒸発させる乾燥処理を施す乾燥処理装置２５６を備えている。なお、乾燥胴２５４の基本構造は、先に説明した処理液胴２３４及び描画胴２４４と共通しているので、ここでの説明は省略する。
【０１２６】
乾燥処理装置２５６は、乾燥胴２５４の外周面に対向する位置に配置され、記録媒体２１４に存在する水分を蒸発させる処理部である。描画部２４０により記録媒体２１４にインクが付与されると、処理液とインクとの凝集反応により分離したインクの液体成分（溶媒成分）及び処理液の液体成分（溶媒成分）が記録媒体２１４上に残留してしまうので、係る液体成分を除去する必要がある。
【０１２７】
乾燥処理装置２５６は、ヒータによる加熱、ファンによる送風、又はこれらを併用して記録媒体２１４上に存在する液体成分を蒸発させる乾燥処理を施し、記録媒体２１４上の液体成分を除去するための処理部である。記録媒体２１４に付与される加熱量及び送風量は、記録媒体２１４上に残留する水分量、記録媒体２１４の種類、及び記録媒体２１４の搬送速度（乾燥処理時間）等のパラメータに応じて適宜設定される。
【０１２８】
乾燥処理装置２５６による乾燥処理が行われる際に、乾燥処理部２５０の乾燥胴２５４は、描画部２４０の描画胴２４４に対して構造上分離しているので、インクジェットヘッド２４８Ｍ，２４８Ｋ，２４８Ｃ，２４８Ｙにおいて、熱又は送風によるヘッドメニスカス部の乾燥によるインクの吐出異常の要因を低減することができる。
【０１２９】
記録媒体２１４のカックルの矯正効果を発揮させるために、乾燥胴２５４の曲率を０．００２（１／ｍｍ）以上とするとよい。また、乾燥処理後の記録媒体の湾曲（カール）を防止するために、乾燥胴２５４の曲率を０．００３３（１／ｍｍ）以下とするとよい。
【０１３０】
また、乾燥胴２５４の表面温度を調整する手段（例えば、内蔵ヒータ）を備え、該表面温度を５０℃以上に調整するとよい。記録媒体２１４の裏面から加熱処理を施すことによって乾燥が促進され、次段の定着処理時における画像破壊が防止される。係る態様において、乾燥胴２５４の外周面に記録媒体２１４を密着させる手段を具備するとさらに効果的である。記録媒体２１４を密着させる手段の一例として、真空吸着、静電吸着などが挙げられる。
【０１３１】
なお、乾燥胴２５４の表面温度の上限については、特に限定されるものではないが、乾燥胴２５４の表面に付着したインクをクリーニングするなどのメンテナンス作業の安全性（高温による火傷防止）の観点から７５℃以下（より好ましくは６０℃以下）に設定されることが好ましい。
【０１３２】
このように構成された乾燥胴２５４の外周面に、記録媒体２１４の記録面が外側を向くように（すなわち、記録媒体２１４の記録面が凸側となるように湾曲させた状態で）保持し、回転搬送しながら乾燥処理を施すことで、記録媒体２１４のシワや浮きに起因する乾燥ムラが確実に防止される。
【０１３３】
（定着処理部）
定着処理部２６０は、記録媒体２１４を保持して搬送する定着胴（定着ドラム）２６４と、画像形成がされ、さらに、液体が除去された記録媒体２１４に加熱処理を施すヒータ２６６と、該記録媒体２１４を記録面側から押圧する定着ローラ２６８と、を備えて構成される。なお、定着胴２６４の基本構造は処理液胴２３４、描画胴２４４、及び乾燥胴２５４と共通しているので、ここでの説明は省略する。ヒータ２６６及び定着ローラ２６８は、定着胴２６４の外周面に対向する位置に配置され、定着胴２６４の回転方向（図３において反時計回り方向）の上流側から順に配置される。
【０１３４】
定着処理部２６０では、記録媒体２１４の記録面に対してヒータ２６６による予備加熱処理が施されるとともに、定着ローラ２６８による定着処理が施される。ヒータ２６６の加熱温度は記録媒体の種類、インクの種類（インクに含有するポリマー微粒子の種類）などに応じて適宜設定される。例えば、インクに含有するポリマー微粒子のガラス転移点温度や最低造膜温度とする態様が考えられる。
【０１３５】
定着ローラ２６８は、乾燥させたインクを加熱加圧することによってインク中の自己分散性ポリマー微粒子を溶着し、インクを被膜化させるためのローラ部材であり、記録媒体２１４を加熱加圧するように構成される。具体的には、定着ローラ２６８は、定着胴２６４に対して圧接するように配置されており、定着胴２６４との間でニップローラを構成するようになっている。これにより、記録媒体２１４は、定着ローラ２６８と定着胴２６４との間に挟まれ、所定のニップ圧でニップされ、定着処理が行われる。
【０１３６】
定着ローラ２６８の構成例として、熱伝導性の良いアルミなどの金属パイプ内にハロゲンランプを組み込んだ加熱ローラによって構成する態様が挙げられる。係る加熱ローラで記録媒体２１４を加熱することによって、インクに含まれるポリマー微粒子のガラス転移点温度以上の熱エネルギーが付与されると、該ポリマー微粒子が溶融して画像の表面に透明の被膜が形成される。
【０１３７】
この状態で記録媒体２１４の記録面に加圧を施すと、記録媒体２１４の凹凸に溶融したポリマー微粒子が押し込み定着されるとともに、画像表面の凹凸がレベリングされ、好ましい光沢性を得ることができる。なお、画像層の厚みやポリマー微粒子のガラス転移点温度特性に応じて、定着ローラ２６８を複数段設けた構成も好ましい。
【０１３８】
また、定着ローラ２６８の表面硬度は７１°以下であることが好ましい。定着ローラ２６８の表面をより軟質化することで、コックリングにより生じた記録媒体２１４の凹凸に対して追随効果を期待でき、記録媒体２１４の凹凸に起因する定着ムラがより効果的に防止される。
【０１３９】
図３に示すインクジェット記録装置２００は、定着処理部２６０の処理領域の後段（記録媒体搬送方向の下流側）には、インラインセンサ２８２が設けられている。インラインセンサ２８２は、記録媒体２１４に形成された画像（又は記録媒体２１４の余白領域に形成されたチェックパターン）を読み取るためのセンサであり、ＣＣＤラインセンサが好適に用いられる。
【０１４０】
本例に示すインクジェット記録装置２００は、インラインセンサ２８２の読取結果に基づいてインクジェットヘッド２４８Ｍ，２４８Ｋ，２４８Ｃ，２４８Ｙの吐出異常の有無が判断される。また、インラインセンサ２８２は、水分量、表面温度、光沢度などを計測するための計測手段を含む態様も可能である。係る態様において、水分量、表面温度、光沢度の読取結果に基づいて、乾燥処理部２５０の処理温度や定着処理部２６０の加熱温度
及び加圧圧力などのパラメータを適宜調整し、装置内部の温度変化や各部の温度変化に対応して、上記制御パラメータが適宜調整される。
【０１４１】
（排出部）
図３に示すように、定着処理部２６０に続いて排出部２７０が設けられている。排出部２７０は、張架ローラ２７２Ａ，２７２Ｂに巻きかけられた無端状の搬送チェーン２７４と、画像形成後の記録媒体２１４が収容される排出トレイ２７６と、を備えて構成されている。
【０１４２】
定着処理部２６０から送り出された定着処理後の記録媒体２１４は、搬送チェーン２７４によって搬送され、排出トレイ２７６に排出される。
【０１４３】
〔インクジェットヘッドの構造〕
次に、描画部２４０に具備されるインクジェットヘッド２４８Ｍ，２４８Ｋ，２４８Ｃ，２４８Ｙの構造の一例について説明する。なお、各色に対応するインクジェットヘッド２４８Ｍ，２４８Ｋ，２４８Ｃ，２４８Ｙの構造は共通しているので、以下、これらを代表して符号３００によってインクジェットヘッド（以下、単に「ヘッド」ともいう。）を示すものとする。
【０１４４】
図５は、インクジェットヘッド３００の概略構成図であり、同図はインクジェットヘッド３００から記録媒体の記録面を見た図（ヘッドの平面透視図）となっている。同図に示すヘッド３００は、ｎ個のヘッドモジュール３０２‐ｉ（ｉは１からｎの整数）をヘッド３００の長手方向に沿って一列につなぎ合わせてマルチヘッドを構成している。また、各ヘッドモジュール３０２‐ｉは、ヘッド３００の短手方向の両側からヘッドカバー３０４，３０６によって支持されている。なお、ヘッドモジュール３０２を千鳥状に配置してマルチヘッドを構成することも可能である。
【０１４５】
複数のサブヘッドにより構成されるマルチヘッドの適用例として、記録媒体の全幅に対応したフルライン型ヘッドが挙げられる。フルライン型ヘッドは、記録媒体の移動方向（副走査方向）と直交する方向（主走査方向）について、記録媒体の主走査方向における長さ（幅）に対応して、複数のノズル（図６に符号３０８を付して図示する）が並べられた構造を有している。係る構造を有するヘッド３００と記録媒体とを相対的に一回だけ走査させて画像記録を行う、いわゆるシングルパス画像記録方式により、記録媒体の全面にわたって画像を形成し得る。
【０１４６】
ヘッド３００を構成するヘッドモジュール３０２‐ｉは、略平行四辺形の平面形状を有し、隣接するサブヘッド間にオーバーラップ部が設けられている。オーバーラップ部とは、サブヘッドのつなぎ部分であり、ヘッドモジュール３０２‐ｉの並び方向について、隣接するドットが異なるサブヘッドに属するノズルによって形成される。
【０１４７】
図６は、ヘッドモジュール３０２‐ｉのノズル配列を示す平面図である。同図に示すように、各ヘッドモジュール３０２‐ｉは、ノズル３０８が二次元状に並べられた構造を有し、係るヘッドモジュール３０２‐ｉを備えたヘッドは、いわゆるマトリクスヘッドと呼ばれるものである。図６に図示したヘッドモジュール３０２‐ｉは、副走査方向Ｙに対して角度αをなす列方向Ｗ、及び主走査方向Ｘに対して角度βをなす行方向Ｖに沿って多数のノズル３０８が並べられた構造を有し、主走査方向Ｘの実質的なノズル配置密度が高密度化されている。図６では、行方向Ｖに沿って並べられたノズル群（ノズル行）は符号３１０を付し、列方向Ｗに沿って並べられたノズル群（ノズル列）は符号３１２を付して図示されている。
【０１４８】
なお、ノズル３０８のマトリクス配置の他の例として、主走査方向Ｘに沿う行方向、及び主走査方向Ｘに対して斜め方向の列方向に沿って複数のノズル３０８を配置する構成が挙げられる。
【０１４９】
図７は、記録素子単位となる１チャンネル分の液滴吐出素子（１つのノズル３０８に対応したインク室ユニット）の立体的構成を示す断面図である。同図に示すように、本例のヘッド３００（ヘッドモジュール３０２）は、ノズル３０８が形成されたノズルプレート３１４と、圧力室３１６や共通流路３１８等の流路が形成された流路板３２０等を積層接合した構造から成る。ノズルプレート３１４は、ヘッド３００のノズル面３１４Ａを構成し、各圧力室３１６にそれぞれ連通する複数のノズル３０８が二次元的に形成されている。
【０１５０】
流路板３２０は、圧力室３１６の側壁部を構成するとともに、共通流路３１８から圧力室３１６にインクを導く個別供給路の絞り部（最狭窄部）としての供給口３２２を形成する流路形成部材である。なお、説明の便宜上、図７では簡略的に図示しているが、流路板３２０は一枚又は複数の基板を積層した構造である。
【０１５１】
ノズルプレート３１４及び流路板３２０は、シリコンを材料として半導体製造プロセスによって所要の形状に加工することが可能である。
【０１５２】
共通流路３１８はインク供給源たるインクタンク（不図示）と連通しており、インクタンクから供給されるインクは共通流路３１８を介して各圧力室３１６に供給される。
【０１５３】
圧力室３１６の一部の面（図７における天面）を構成する振動板３２４には、個別電極３２６及び下部電極３２８を備え、個別電極３２６と下部電極３２８との間に圧電体３３０が挟まれた構造を有するピエゾアクチュエータ３３２（駆動素子の一例）が接合されている。振動板３２４を金属薄膜や金属酸化膜により構成すると、ピエゾアクチュエータ３３２の下部電極３２８に相当する共通電極として機能する。なお、樹脂などの非導電性材料によって振動板を形成する態様では、振動板部材の表面に金属などの導電材料による下部電極層が形成される。
【０１５４】
個別電極３２６に駆動電圧を印加することによってピエゾアクチュエータ３３２が変形して圧力室３１６の容積が変化し、これに伴う圧力変化によりノズル３０８からインクが吐出される。インク吐出後、ピエゾアクチュエータ３３２が元の状態に戻る際、共通流路３１８から供給口３２２を通って新しいインクが圧力室３１６に再充填される。
【０１５５】
係る構造を有するインク室ユニットを図６に示す如く、主走査方向Ｘと角度βをなす行方向Ｖ及び副走査方向Ｙに対して角度αをなす列方向Ｗに沿って一定の配列パターンで格子状に多数配列させることにより、本例の高密度ノズルヘッドが実現されている。係るマトリクス配列において、副走査方向Ｙの隣接ノズル間隔をＬｓとするとき、主走査方向Ｘについては実質的に各ノズル３０８が一定のピッチＰ＝Ｌｓ／tanθで直線状に配列されたものと等価的に取り扱うことができる。
【０１５６】
本例では、ヘッド３００に設けられたノズル３０８から吐出させるインクの吐出力発生手段としてピエゾアクチュエータ３３２を適用したが、圧力室３１６内にヒータを備え、ヒータの加熱による膜沸騰の圧力を利用してインクを吐出させるサーマル方式を適用することも可能である。
【０１５７】
なお、ヘッド３００は、それぞれ異なるバージョン（種類）のヘッドモジュール３０２‐ｉを使用可能である。例えば、インク流路抵抗やピエゾアクチュエータ３３２の性能が異なる種類のヘッドモジュール３０２‐ｉが存在する場合がある。
【０１５８】
〔払拭ユニットの装置構成〕
払拭ユニット１００Ｃ、１００Ｍ、１００Ｙ、１００Ｋ（払拭手段の一例）は、帯状に形成された払拭ウェブ（図８の符号１０１）を走行させながらヘッド３００のノズル面３１４Ａに当接させて、ノズル面３１４Ａを払拭する。払拭ユニット１００Ｃ、１００Ｍ、１００Ｙ、１００Ｋは、ヘッド３００の設置間隔に合わせて、ヘッド毎に設けられている。なお、各払拭ユニット１００Ｃ、１００Ｍ、１００Ｙ、１００Ｋの構成は同じなので、ここでは払拭ユニット１００として、その構成を説明する。
【０１５９】
図８は、払拭ユニット１００の概略構成を示す模式図である。同図に示すように、払拭ユニット１００は、払拭前の払拭ウェブ１０１を送出する送出側ウェブコア１０２と、巻取モータ（不図示）により回転駆動されることで、払拭済みの払拭ウェブ１０１を巻き取る巻取側ウェブコア１０３と、送出側ウェブコア１０２から送出された払拭ウェブ１０１に当接して回転し、洗浄液付与部１０５へガイドする第１ガイドロール１０４と、払拭ウェブ１０１に所定量の洗浄液１０５ａを付与する洗浄液付与部１０５と、洗浄液付与部１０５から送出された払拭ウェブ１０１に当接して回転し、押圧ロール１０７へガイドする第２ガイドロール１０６と、払拭ウェブ１０１をヘッド３００のノズル面３１４Ａに所定の圧力で当接させる押圧ロール１０７と、を備えて構成される。
【０１６０】
払拭ウェブ１０１は、例えば、ポリエチレンテレフタラート、ポリエチレン、ナイロン等の極微細繊維を用いた編み又は織りからなるシートで構成され、ヘッド３００のノズル面３１４Ａの幅に対応した幅を有する帯状に形成される。この払拭ウェブ１０１は、送出側ウェブコア１０２にロール状に巻かれ、先端が巻取側ウェブコア１０３に固定された状態で提供される。
【０１６１】
送出側ウェブコア１０２は、一端が固定されて水平に支持された送出軸（不図示）に嵌められて装着されている。この送出軸は二重管構造とされ、内筒の周りを外筒が回転可能に支持される。内筒と外筒との間には、逆回転防止機構及びフリクション機構が配置され、外筒は一定の抵抗をもって一方向（払拭ウェブ１０１の送出方向）にのみ回転するように構成される。
【０１６２】
巻取側ウェブコア１０３は、回転自在に水平に支持された巻取軸（不図示）に嵌めて装着されている。巻取軸には巻取モータが連結され、巻取側ウェブコア１０３は巻取モータに駆動されて一方向（払拭ウェブ１０１の巻取方向）に回転する。
【０１６３】
この巻取軸は、二重構造とされ、内筒の周りを外筒が回転可能に支持される。内筒と外筒との間には、トルクリミッタが配置され、一定以上の負荷（トルク）が掛かると、内筒に対して外筒が滑るように構成される。これにより、払拭ウェブ１０１に過剰な張力が掛かるのを防止できる。
【０１６４】
第１ガイドロール１０４は、水平に設置された軸（不図示）に回転自在に支持され、送出側ウェブコア１０２から送出された払拭ウェブ１０１を洗浄液付与部１０５へ向けてガイドする。
【０１６５】
洗浄液付与部１０５は、洗浄液ノズル（不図示）から払拭ウェブ１０１に対して洗浄液１０５ａを噴射して、払拭ウェブ１０１に洗浄液１０５ａを定量付与する。なお、払拭ウェブ１０１に洗浄液１０５ａを付与する方法は、洗浄液ノズルからの噴射に限定されない。例えば、アニロクスロールを用いて付与する態様等が考えられる。
【０１６６】
第２ガイドロール１０６は、水平に設置された軸（不図示）に回転自在に支持され、洗浄液付与部１０５から送出された払拭ウェブ１０１を押圧ロール１０７へ向けてガイドする。
【０１６７】
押圧ロール１０７は、その軸部の一端が回転自在に支持されて水平に設置される。押圧ロール１０７は、払拭ウェブ１０１の幅に対応したゴムロールで構成され、払拭ウェブ１０１をヘッド３００のノズル面３１４Ａに所定の圧力で当接させる。
【０１６８】
〔払拭ユニットの作用〕
次に、以上のように構成された払拭ユニット１００の作用について説明する。
【０１６９】
払拭ユニット１００の動作は、メンテナンス制御部（図９に示す符号３６８）によって制御される。メンテナンス制御部３６８は、ヘッド３００を画像記録位置から保湿位置へ移動させる過程において、払拭ユニット１００によってノズル面３１４Ａを払拭清掃する。
【０１７０】
払拭ユニット１００は、払拭ユニット昇降機構によりそれぞれ独立に昇降自在に構成されている。払拭ユニット１００は、清掃時以外においては所定の待機位置に位置しており、清掃時には待機位置から所定量上昇した位置である所定の作動位置に位置する。
【０１７１】
払拭ユニット１００が作動位置に位置した状態では、各ヘッド３００のノズル面３１４Ａを払拭することが可能になる。すなわち、ヘッド３００が、払拭ユニット１００を通過する際、そのノズル面３１４Ａに押圧ロール１０７に巻き掛けられた払拭ウェブ１０１を押圧当接することが可能になる。
【０１７２】
メンテナンス制御部３６８は、各ヘッド３００が払拭ユニット１００に到達するタイミングに合わせて、巻取モータの駆動を制御することで、払拭ウェブ１０１の搬送を制御する。これにより、払拭ウェブ１０１は、送出側ウェブコア１０２から繰り出されて走行し、巻取側ウェブコア１０３に巻き取られる。
【０１７３】
このとき、送出側ウェブコア１０２の送出軸は、フリクション機構によってフリクションが付与される一方、巻取側ウェブコア１０３の巻取軸は、トルクリミッタによって一定の負荷が掛かると滑るので、払拭ウェブ１０１に一定の張力を付与して走行させることができる。
【０１７４】
またメンテナンス制御部３６８は、この払拭ウェブ１０１の走行と同時に、洗浄液付与部１０５を制御し、払拭ウェブ１０１を洗浄液１０５ａによって湿潤させる。払拭ウェブ１０１の適量（ノズル面３１４Ａを払拭するのに適した量）の洗浄液量は、払拭ウェブ１０１の吸収能力、ノズル面３１４Ａの撥液性（インクの接触角）、インクの物性、ノズル径によって決まる。
【０１７５】
また、適量の洗浄液量は、インクジェットヘッド２４８Ｍ，２４８Ｋ，２４８Ｃ，２４８Ｙによっても異なる。したがって、必要な洗浄液の量に応じて、洗浄液付与部１０５から洗浄液１０５ａを噴射すればよい。
【０１７６】
これにより、払拭ウェブ１０１を適量の洗浄液により湿潤された状態とすることができ、払拭ウェブ１０１の吸収能力が最適な状態となる。その結果、ノズル面３１４Ａの払拭時におけるノズルへの洗浄液の進入や液ダレを抑制することができる。
【０１７７】
このように洗浄液が定量付与された払拭ウェブ１０１は、第２ガイドロール１０６によって押圧ロール１０７へガイドされ、巻取モータの駆動による走行により押圧ロール１０７においてノズル面３１４Ａに押圧当接され、ノズル面３１４Ａが払拭清掃される。
【０１７８】
この際、払拭ウェブ１０１は、ノズル面３１４Ａの移動方向と逆方向に走行して、ノズル面３１４Ａを払拭する。これにより、効率よくノズル面３１４Ａを払拭することができる。また、常に払拭ウェブ１０１の新しい面（未使用領域）を使ってノズル面３１４Ａを払拭することができる。
【０１７９】
ノズル面３１４Ａを払拭した払拭ウェブ１０１は、巻取側ウェブコア１０３に巻取られる。また、ヘッド３００は、ヘッド支持フレーム移動機構により保湿位置に移動され、ノズル面３１４Ａがキャップ９２で覆われる。
【０１８０】
〔保湿ユニットの構成〕
ヘッド３００は、保湿位置（待機位置の一例）に移動すると、保湿ユニット９０の設置位置に配置される。
【０１８１】
保湿ユニット９０には、各ヘッド３００のノズル面３１４Ａを覆うキャップ９２（９２Ｍ、９２Ｋ、９２Ｃ、９２Ｙ）が備えられる。装置を長時間停止する場合などは、この保湿ユニット９０の設置位置（保湿位置）にヘッド３００を移動させ、ノズル面３１４Ａをキャップ９２で覆う。これにより、乾燥による不吐出が防止される。
【０１８２】
このキャップ９２には、ノズル内を加圧・吸引するための加圧・吸引機構（不図示）、及び、キャップ９２内に洗浄液を供給するための洗浄液供給機構（不図示）が備えられる。また、キャップ９２の下方位置には廃液トレイ９４が配置される。キャップ９２に供給
された洗浄液は、この廃液トレイ９４に廃棄され、廃液回収配管（不図示）を介して廃液タンク（不図示）に回収される。
【０１８３】
〔制御系の説明〕
図９は、インクジェット記録装置２００の制御系の概略構成を示すブロック図である
インクジェット記録装置２００は、通信インターフェース３４０、システム制御部３４２、搬送制御部３４４、画像処理部３４６、ヘッド駆動部３４８を備えるとともに、画像メモリ３５０、ＲＯＭ３５２を備えている。
【０１８４】
通信インターフェース３４０は、ホストコンピュータ３５４から送られてくる画像データを受信するインターフェース部である。通信インターフェース３４０は、ＵＳＢ（Universal Serial Bus）（登録商標）などのシリアルインターフェースを適用してもよいし、セントロニクスなどのパラレルインターフェースを適用してもよい。通信インターフェース３４０は、通信を高速化するためのバッファメモリ（不図示）を搭載してもよい。
【０１８５】
また、通信インターフェース３４０は、図１に示す通信部５４の機能を含み、インターネットを介してメンテナンスサーバ（図９では不図示、図１の符号６０）と通信可能に構成される。
【０１８６】
システム制御部３４２は、中央演算処理装置（ＣＰＵ）及びその周辺回路等から構成され、所定のプログラムに従ってインクジェット記録装置２００の全体を制御する制御装置として機能するとともに、各種演算を行う演算装置として機能し、さらに、画像メモリ３５０及びＲＯＭ３５２のメモリコントローラとして機能する。すなわち、システム制御部３４２は、通信インターフェース３４０、搬送制御部３４４等の各部を制御し、ホストコンピュータ３５４との間の通信制御、画像メモリ３５０及びＲＯＭ３５２の読み書き制御等を行うとともに、上記の各部を制御する制御信号を生成する。
【０１８７】
ホストコンピュータ３５４から送出された画像データは通信インターフェース３４０を介してインクジェット記録装置２００に取り込まれ、画像処理部３４６によって所定の画像処理が施される。
【０１８８】
画像処理部３４６は、画像データから印字制御用の信号を生成するための各種加工、補正などの処理を行う信号（画像）処理機能を有し、生成した印字データをヘッド駆動部３４８に供給する制御部である。
【０１８９】
ヘッド駆動部３４８は、図１に示すヘッド制御部３１の機能を含み、画像処理部３４６において所要の信号処理が施された画像データに基づいて、ヘッド３００の吐出液滴量（打滴量）や吐出タイミングの制御を行う。これにより、所望のドットサイズやドット配置が実現される。なお、図９に示すヘッド駆動部３４８には、ヘッド３００の駆動条件を一定に保つためのフィードバック制御系を含んでいてもよい。
【０１９０】
搬送制御部３４４は、画像処理部３４６により生成された印字制御用の信号に基づいて記録媒体２１４（図３参照）の搬送タイミング及び搬送速度を制御する。図９における搬送駆動部３５６は、図３の圧胴２３４〜２６４を回転させるモータや、渡し胴２３２〜２６２を回転させるモータ、給紙部２２０における記録媒体２１４の送出機構のモータ、排出部２７０の張架ローラ２７２Ａ（２７２Ｂ）を駆動するモータなどが含まれ、搬送制御部３４４は上記のモータのコントローラーとして機能している。
【０１９１】
画像メモリ（一次記憶メモリ）３５０は、通信インターフェース３４０を介して入力された画像データを一旦格納する一次記憶手段としての機能や、ＲＯＭ３５２に記憶されている各種プログラムの展開領域及びＣＰＵの演算作業領域（例えば、画像処理部３４６の作業領域）としての機能を有している。画像メモリ３５０には、逐次読み書きが可能な揮発性メモリ（ＲＡＭ）が用いられる。
【０１９２】
ＲＯＭ３５２は、システム制御部３４２のＣＰＵが実行するプログラムや、装置各部の制御に必要な各種データ、制御パラメータなどが格納されており、システム制御部３４２を通じてデータの読み書きが行われる。ＲＯＭ３５２は、半導体素子からなるメモリに限らず、ハードディスクなど磁気媒体を用いてもよい。また、外部インターフェースを備え、着脱可能な記憶媒体を用いてもよい。
【０１９３】
さらに、このインクジェット記録装置２００は、処理液付与制御部３６０、乾燥処理制御部３６２、及び定着処理制御部３６４を備えており、システム制御部３４２からの指示に従って、それぞれ、処理液塗布部２３０、乾燥処理部２５０、及び定着処理部２６０の各部の動作を制御する。
【０１９４】
処理液付与制御部３６０は、画像処理部３４６から得られた印字データに基づいて、処理液付与のタイミングの制御を制御するとともに、処理液の付与量を制御する。また、乾燥処理制御部３６２は、乾燥処理装置２５６における乾燥処理のタイミングを制御するとともに、処理温度、送風量等を制御し、定着処理制御部３６４は、ヒータ２６６の温度を制御するとともに、定着ローラ２６８の押圧を制御する。
【０１９５】
図３に示したインラインセンサ２８２を含むインライン検出部４６６は、インラインセンサ２８２から出力される読取信号にノズル除去や増幅、波形整形などの所定の信号処理を施す信号処理部を含む処理ブロックである。システム制御部３４２は、当該インライン検出部により得られた検出信号に基づいて、ヘッド３００の吐出異常の有無を判断する。
【０１９６】
インク供給制御部３８６は、図１に示すポンプ制御部３２の機能を含み、インク供給部３８８は、図１に示すポンプ２５を含む。インク供給制御部３８６は、インク供給部３８８によるヘッド３００へのインク供給の制御を行う。
【０１９７】
本例に示すインクジェット記録装置２００は、図１に示す入出力インターフェース５６の機能を含むユーザインターフェース３７０を具備している。ユーザインターフェース３７０は、オペレータ（ユーザ）が各種入力を行うための入力装置３７２と、表示部（ディスプレイ）３７４を含んで構成される。入力装置３７２には、キーボード、マウス、タッチパネル、ボタンなど各種形態を採用し得る。オペレータは、入力装置３７２を操作することにより、印刷条件の入力、画質モードの選択、付属情報の入力・編集、情報の検索などを行うことができ、入力内容や検索結果など等の各種情報は表示部３７４の表示を通じて確認することができる。この表示部３７４はエラーメッセージなどの警告を表示する手段としても機能する。なお、図９の表示部３７４は、図３に図示した制御系における報知手段としてのディスプレイに適用することができる。
【０１９８】
メンテナンス制御部３６８は、図１に示すクリーニング制御部３３の機能を含み、ノズル面清掃装置８０の払拭ユニット昇降機構、巻取モータ、洗浄液付与部１０５等の動作を制御する。
【０１９９】
パラメータ記憶部３８０は、図１に示すデータベース５１、稼動情報記憶部５３、ハードウェア情報記憶部５５の機能を含み、インクジェット記録装置２００の動作に必要な各種制御パラメータが記憶されている。図１に示す最適条件取得部５２の機能を含むシステム制御部３４２は、制御に必要なパラメータを適宜読み出すとともに、必要に応じて各種パラメータの更新（書換）を実行する。
【０２００】
圧力センサ３８１は、インク流路の圧力を計測するための圧力検出素子を含み、計測された圧力情報を電気信号に変換してシステム制御部３４２へ提供する。システム制御部３４２は、当該圧力情報に基づいてインク供給部３８８に含まれるポンプの動作（回転速度）を補正するようにインク供給制御部３８６へ指令信号を送出する。
【０２０１】
プログラム格納部３８４は、インクジェット記録装置２００を動作させるための制御プログラムが格納されている記憶手段である。
【０２０２】
識別部３９０は、図１に示す識別部４０の機能を含み、記録媒体２１４、ヘッドモジュール３０２‐ｉ、インク、払拭ウェブ１０１、洗浄液１０５ａ、処理液等の種類を識別する。
【０２０３】
このように構成されたインクジェット記録装置２００において、本発明の技術的範囲は、上記の実施形態に記載の範囲には限定されない。各実施形態における構成等は、本発明の趣旨を逸脱しない範囲で、各実施形態間で適宜組み合わせることができる。
【符号の説明】
【０２０４】
１…インクジェット記録システム、２…記録媒体、１０…インクジェット記録装置、２０…画像記録部、２１…ヘッドモジュール、２２…ヘッド固定部、２４ａ…インク、２５…ポンプ、２６…供給流路、２７ａ…払拭ウェブ、２８ａ…洗浄液、３０…制御部、４０…識別部、５１…データベース、５２…最適条件取得部、５３…稼動情報取得部、５４…通信部、５５…ハードウェア情報記憶部、５６…入出力インターフェース、６０…メンテナンスサーバ
【図１】
2014148051.tif 000003
【図２】
2014148051.tif 000004
【図３】
2014148051.tif 000005
【図４】
2014148051.tif 000006
【図５】
2014148051.tif 000007
【図６】
2014148051.tif 000008
【図７】
2014148051.tif 000009
【図８】
2014148051.tif 000010
【図９】
2014148051.tif 000011